(57)【要約】【課題】従来のＬＥＤ照明器具では長尺の照明基板を用いているので、部屋全体を照明するように照射範囲を広げることは比較的容易であるものの、一点に集光することはできない。そのため、部屋全体を照明する用途には使用できるが、スポットライトのように使用することはできない。【解決手段】複数枚の照明基板を放射状に配置し、各照明基板を放射方向に対して上下に揺動し得るように構成した。【選択図】  図２
2014229538.tif 000002
【特許請求の範囲】
【請求項１】
板状の下面にＬＥＤが取り付けられた照明基板を複数枚備え、天井面に取り付けられた状態で照明基板の角度を変えてＬＥＤからの照射光による照射範囲を増減するＬＥＤ照明器具において、上記複数枚の照明基板を放射状に配置し、各照明基板を放射方向に対して上下に揺動し得るように構成したことを特徴とするＬＥＤ照明器具。
【請求項２】
上記照明基板を、放射方向に平行な揺動軸を中心に揺動自在に保持したことを特徴とする請求項１に記載のＬＥＤ照明器具。
【発明の詳細な説明】
【技術分野】
【０００１】
本発明は、天井面に取り付けられ、下方に向かって光を照射して室内を照明するＬＥＤ照明器具に関する。
【背景技術】
【０００２】
上述のような照明器具として白熱球を用いたものが存在したが、消費電力を低減させるため蛍光灯を発光源とする照明器具が開発された。そして、さらに消費電力を低減させるため、ＬＥＤを発光源とする照明器具が多数開発されている。
【０００３】
ただし、白熱球や蛍光灯に対してＬＥＤは照射する光の広がりが狭いので、天井から室内全体を照明しようとしても、照明器具の直下位置から離れるに従って暗くなるという不具合が生じる。
【０００４】
そこで、長尺の照明基板の下面上にＬＥＤを並べ、照明基板の長手方向に平行な揺動軸回りに照明基板を揺動し得るように保持し、必要に応じて照明基板を個別に手動で傾けてＬＥＤからの光の照射範囲を調節できるようにしたものが知られている（例えば、特許文献１参照）。
【先行技術文献】
【特許文献】
【０００５】
【特許文献１】特開２０１０−２１９０１５号公報（図５）
【発明の概要】
【発明が解決しようとする課題】
【０００６】
上記従来のＬＥＤ照明器具では長尺の照明基板を用いているので、部屋全体を照明するように照射範囲を広げることは比較的容易であるものの、一点に集光することはできない。そのため、部屋全体を照明する用途には使用できるが、スポットライトのように使用することはできない。
【０００７】
そこで本発明は、上記の問題点に鑑み、部屋全体を照明することはもとより、一点に集光することもできるＬＥＤ照明器具を提供することを課題とする。
【課題を解決するための手段】
【０００８】
上記課題を解決するために本発明によるＬＥＤ照明器具は、板状の下面にＬＥＤが取り付けられた照明基板を複数枚備え、天井面に取り付けられた状態で照明基板の角度を変えてＬＥＤからの照射光による照射範囲を増減するＬＥＤ照明器具において、上記複数枚の照明基板を放射状に配置し、各照明基板を放射方向に対して上下に揺動し得るように構成したことを特徴とする。
【０００９】
照明基板の下面が外側を向くように照明基板を揺動させると照射光は外側に広がるので広範囲を照明することになる。逆に照明基板の下面が内側を向くように揺動させれば照明光は照明器具の直下位置に集光し、スポット照明となる。
【００１０】
なお、上記照明基板を、放射方向に平行な揺動軸を中心に揺動自在に保持すれば、照射光をさらに拡散し、また集光させることができる。
【発明の効果】
【００１１】
以上の説明から明らかなように、本発明は、放射状に配列した照明基板を上下方向に揺動させるので、広範囲から狭い範囲まで照射範囲を調節することができる。
【図面の簡単な説明】
【００１２】
【図１】本発明の一実施の形態の構成を示す図
【図２】カバーを外した状態を示す斜視図
【図３】内部構造を示す下方から見た平面図
【図４】照明基板の放射方向の上下の揺動を示す図
【図５】２枚の照明基板の開き角度の変化を示す図
【発明を実施するための形態】
【００１３】
図１を参照して、１は本発明によるＬＥＤ照明器具で有り、天井面ＣＬに設置され、上方から室内を照明するように設置されている。そして、このＬＥＤ照明器具１の照度や照明範囲は赤外線式のリモコン１１によって制御されるように構成されている。
【００１４】
図２を参照して、ＬＥＤ照明器具１の下面には半透明のカバー１２が取り付けられており、そのカバー１２を外すと下面にＬＥＤ４が配設された照明基板３が露出する。照明基板３は３個のＬＥＤ４が配設されたものと２個のＬＥＤ４が配設されたものとが１対となって、４組、計８枚の照明基板３が取り付けられている。
【００１５】
図３を参照して、各組毎に２枚の照明基板３は２カ所でジョイント３１によって相互に連結されている。このジョイント３１は２枚の照明基板３の開き角度が変化できるように両照明基板３を連結している。そして、４組の照明基板３は固定リング２１を中心に放射状に配設されている。
【００１６】
図４を合わせて参照して、内側のジョイント３１の上面と固定リング２１とがリンク２１ａによって連結されている。また、各照明基板３の放射方向外側の上面には金具３２が取り付けられており、この金具３２と可動リング５とがリンク５ａで連結されている。
【００１７】
可動リング５は図示しないモータによって上下方向に駆動されるもので、可動リング５の上下位置は上記リモコン１１によって変更することができる。照明基板３の内側のジョイント３１は固定リング２１に連結され、放射方向外側の金具３２が可動リング５に連結されているので、可動リング５を上昇させると照明基板３の放射方向外側が引き上げられ、逆に可動リング５を下降させると照明基板３の放射方向外側が押し下げられることになる。
【００１８】
照明基板３の放射方向外側にはさらにピン３３が固定されており、そのピン３３はカム板２２のカム溝２３に挿入されている。このカム板２２は取り付けリング２の上面に固定されており、図５に示すように、照明基板３の放射方向外側が引き上げられると、１対の照明基板３の下方の開き角度が広がり、逆に照明基板３の放射方向外側が押し下げられると、両照明基板３の下方の開き角度が狭くなるように照明基板３の姿勢を変更することができる。
【００１９】
上記構成において、照明基板３が水平な状態では、各ＬＥＤ４から放射される光はある程度の広がりで下方に照射される。カバー１２によっても多少拡散されるのでＬＥＤ照明器具１の垂直下方位置を中心に広がる範囲を照明するが、壁面や隅の方までは照明しない。
【００２０】
次にリモコン１２によって可動リング５を上方に移動させると、照明基板３の放射方向外側が引き上げられ、照明範囲が外側に広がるが、その際、図５に示すように、各組を構成する２枚の照明基板３の下方の開き角度が広がるので、さらに照明範囲が広がることとになり、室内全体を広く照明することができる状態になる。
【００２１】
逆に、照明基板３が水平な状態から可動リング５を下降させると、照明基板３の放射方向外側が押し下げられるので、照明範囲が狭められ、ＬＥＤ照明器具１の垂直下方をスポット状に照明することになる。また、その際には図５に示すように、各組を構成する２枚の照明基板３の下方の開き角度が狭まるので、さらに照明範囲が狭く収束することになり、狭い範囲を集中して照明することができる状態になる。
【００２２】
このように、スポット状の照明範囲から部屋全体を照明する状態まで、可動リング５の上下位置を変更することにより連続して調節することができる。
【００２３】
なお、本発明は上記した形態に限定されるものではなく、本発明の要旨を逸脱しない範囲内において種々の変更を加えてもかまわない。
【符号の説明】
【００２４】
１  ＬＥＤ照明器具
２１  固定リング
２２  カム板
２３  カム溝
３  照明基板
４  ＬＥＤ
５  可動リング
【図１】
2014229538.tif 000003
【図２】
2014229538.tif 000004
【図３】
2014229538.tif 000005
【図４】
2014229538.tif 000006
【図５】
2014229538.tif 000007